(57)【要約】【課題】天井の補強工事を必要とすることなく、引き戸等開口部の小壁を壊さず、介護用走行リフトが小壁下を走行できる天井走行レール接続装置を提供すること。【解決手段】走行レールの水平移動・昇降機構から成る走行レール装置と、走行レールの旋回・昇降機構から成る旋回レール装置で、小壁下の天井走行レールの接続を行う。及び、走行レール装置又は、旋回レール装置と天井走行レール架台との組合せで、室内、廊下等の天井走行レールの接続を行う。更に、各装置は自立形架台に取付け、自由に天井走行レールの配置変えを行う。【選択図】        図２
2004267486.tif 000002
【特許請求の範囲】
【請求項１】
走行レールの水平移動・昇降機構を備えた走行レール装置と、走行レールの旋回・昇降機構を備えた旋回レール装置とで行う開口壁小壁下の介護用走行リフトの天井走行レール接続装置。
【請求項２】
走行レールに介護用走行リフトの脱落防止用安全ストッパーを備えた請求項１記載の介護用走行リフトの天井走行レール接続装置。
【発明の詳細な説明】
【０００１】
【発明が属する技術分野】
本発明は、介護用走行リフトの天井走行レール接続装置に関する。
【０００２】
【従来の技術】
引き戸等開口部の小壁を貫通できない天井走行レールの場合、介護用走行リフトを吊り直して行う。
【０００３】
【発明が解決しようとする課題】
介護用走行リフトを吊り直して行う作業は、スリングシート等に乗った被介護人が不安定な姿勢になり危険である。
【０００４】
天井走行レールの設置のため、天井の補強工事を必要とする。又、借家では天井の補強工事ができない。
【０００５】
浴室の小壁を壊し、天井走行レールを延長しているが、引き戸等がないため、湯気が広がり、廊下、他部屋まで湿らす。引き戸等がないトイレの場合は、臭気が広がる。
【０００６】
そこで、本発明は、天井の補強工事を必要とすることなく、引き戸等開口部の小壁を壊さず、介護用走行リフトの天井走行レール接続装置を提供することを課題とする。
【０００７】
【課題を解決するための手段】
走行レール装置と旋回レール装置により、介護用走行リフトが、引き戸等開口部の小壁の下を走行できることを特徴とする。
【０００８】
走行レール装置は、走行レールの水平移動機構と走行レールの昇降機構から成る。
【０００９】
旋回レール装置は、走行レールの旋回機構と走行レールの昇降機構から成る。
【００１０】
走行レール装置及び、旋回レール装置の走行レールには、介護用走行リフトの脱落防止の安全ストッパーを備える。
【００１１】
【発明の実施の形態】
以下、図示により本発明の実施の形態について説明する。
【００１２】
図２は、本発明の実施の形態に係る走行レール装置１０と旋回レール装置４０の斜視図であり、説明のため、図１の開口壁２、架台６０，６２、６３及び、他の天井走行レール４、横行レール６１を非表示としている。
【００１３】
走行レール装置１０の走行レール１１はトロリーレール１３に吊り下げされ、電動シリンダー１５により水平移動する。走行レール１１の両端には、レール合せ用のガイドプレート１２を取付け、旋回レール装置４０の走行レール４１との位置決めを行う。
位置決め時には、走行レール装置１０の横行が自由になるよう、横行用モータ２２のブレーキを開放させる。
【００１４】
走行レール１１の昇降は、トロリーレール１３を支持する昇降フレーム１４に昇降用モータ２１を取付け、タイミングプーリ１９、ベルト２０を介して、カウンター軸１７に係合したピニオンギヤー１６とラック１７との噛合いで行う。
タイミングプーリ、ベルトは、スプロケット、ローラチェーンでもよい。又、ピニオンギヤー、ラックの材質は、無給油のプラスチック製が好ましい。
【００１５】
旋回レール装置４０の走行レール４１は旋回台４２に吊り下げされ、旋回用モータ４５、ピニオンギヤー４４、旋回ギヤー４３により３６０度旋回する。
【００１６】
旋回レール装置４０の昇降は、旋回台４２に取付けたラック４６と、旋回架台６２に取付けた昇降用モータ５１、タイミングプーリ４９、ベルト５０、カウンター軸４８に係合したピニオンギヤー４７との噛合いで行う。
【００１７】
図４で示すように、介護用走行リフト１が、走行レール１１又は、走行レール４１に入ると、図３のリミットスイッチ３５が介護用走行リフト１を検出し、安全ストッパー３０のプランジャー３２が圧縮バネ３３より押し出される。（  図４（ａ）  ）
【００１８】
走行レール装置１０の横行停止位置用又は、旋回レール装置４０の旋回停止位置用のリミットスイッチ（図示なし）の検出により、介護用走行リフト１の乗り移り側のみ、安全ストッパー３０のチューブラソレノイド３１が作動し、プランジャー３２が吸引され（図４（ｂ））、走行レール装置１０又は、旋回レール装置４０側への介護用走行リフト１の走行が可能となる。
【００１９】
安全ストッパー３０は走行レール装置１０の横行時及び、旋回レール装置４０の旋回時の介護用走行リフト１の脱落を防止する。
【００２０】
図１の架台６０，６２、６３の上下には、ジャッキ６４が取り付けられ、天井走行レールの高さを調整する。次に、天井方向に押し付けて架台を固定する。
水平方向の反力は、上下ジャッキ６４の押し付け力の二面摩擦力で処理する。
【００２１】
動作手順として、図１の走行レール装置１０が室内の天井走行レール４の位置に待機の状態で、介護用走行リフト１が走行レール装置１０のほぼ中央まで走行すると、走行レール１１のリミットスイッチ３５が検出、安全ストッパー３０が動作する。
【００２２】
被介護人が、近傍の引き綱スイッチ等（図示なし）を引くと、走行レール装置１０は引き戸等開口部位置まで、横行トロリー２３により自動横行し停止する。
【００２３】
引き戸等開口部の近傍の引き綱スイッチ等（図示なし）を引くと、走行レール装置１０は開口部の小壁下へ下降、旋回レール装置４０は走行レール装置１０側に旋回、下降する。
【００２４】
走行レール装置１０の走行レール１１は、旋回レール装置４０の走行レール４１側へ前進、水平移動する。レール合せ用のガイドプレート１２により、走行レール４１との位置決めを行い、天井走行レールの接続が完了する。
【００２５】
走行レール４１の走行レール装置１０側の安全ストッパー３０が開放し、走行レール４１側に介護用走行リフト１が走行できる。走行レール４１のリミットスイッチ３５が検出、安全ストッパー３０が動作後、旋回レール装置４０が上昇、旋回する。
【００２６】
旋回方向は、引き戸等開口部の近傍の引き綱スイッチ等（図示なし）の選択で行う。
【００２７】
電動モータ、リミットスイッチ類は、停電時に対してＤＣ２４Ｖの直流が好ましい。特に浴室等多湿な場所には、防水、防湿形のモータにする。
走行レール装置１０及び旋回レール装置４０には、ＤＣ２４Ｖのバッテリーの搭載か、又は、給電装置を使用する。
浴室等多湿な場所以外では、安価なＡＣモータでよいが、無停電電源装置  （
ＵＰＳ  ）が必要である。
【００２８】
図１の架台６０，６２、６３及び、他の天井走行レール４、横行レール６１及び、図２の走行レール装置１０と旋回レール装置４０の構成部品の材料は、極力アルミニューム材及び、樹脂材を使用し、分解組立できるよう軽量化を図る。
【００２９】
尚、天井走行レール接続装置は、走行レール装置１０の横行機構がない場合でも、開口壁小壁下の天井走行レールの接続はできる。横行機構は、開口壁から離れた室内の天井走行レール４に接続するための手段である。
【００３０】
【発明の効果】
天井の補強工事を必要とすることなく、引き戸等開口部の小壁を壊さず、介護用走行リフトは開口部の小壁下を走行できる。
更に、各装置は自立形架台に取付けるため、自由に天井走行レールの配置変えができる。
【図面の簡単な説明】
【図１】本発明の天井走行レール接続装置を、開口壁に配置した全体の斜視図である。
【図２】走行レール装置が旋回レール装置側に走行レールを水平移動し、接続した実施の形態に係る斜視図である。
【図３】走行レールに安全ストッパーを取付けた状態で（ａ）は側面図で、（ｂ）は正面図である。
【図４】安全ストッパーの部分詳細図で（ａ）はストッパーが動作の状態で、（ｂ）はストッパーが開放の状態を示す。
【符号の説明】
１      介護用走行リフト
２      開口壁
４      天井走行レール
１０    走行レール装置
１１    走行レール装置の走行レール
１２    ガイドプレート
１３    トロリーレール
２３    横行トロリー
３０    安全ストッパー
３１    チューブラソレノイド
３２    プランジャー
４０    旋回レール装置
４１    旋回レール装置の走行レール
６０    走行レール装置架台
６１    横行レール
６２    旋回架台
６３    天井走行レール架台
６４    ジャッキ
【図１】
2004267486.tif 000003
【図２】
2004267486.tif 000004
【図３】
2004267486.tif 000005
【図４】
2004267486.tif 000006